(57)【特許請求の範囲】
【請求項１】
ロール状にした未露光の写真フイルムを収納するとともに、底面に開口が形成されたフイルムロール室と、パトローネ本体を収納するためのパトローネ室とが両側部に一体に設けられた本体基部に、前後から前カバー及び後カバーを被せ、前記前カバーと後カバーとの少なくとも一方に一体に連結された底蓋で前記フイルムロール室の開口を塞ぐようにしたユニット本体と、このユニット本体の外周面に巻き付けられる帯状の外装体とからなるレンズ付きフイルムユニットにおいて、
前記底蓋は、前記開口部よりもさらに本体基部の底面中央側まで一体に覆うように長く形成され、その一部が外装体に覆われるようにしており、前記底蓋と、この底蓋が一体に連結されている前記カバー部材とに、底蓋が前記開口を塞ぐ閉じ位置に移動したときに係合される一対の爪係合部を設けたことを特徴とするレンズ付きフイルムユニット。
【発明の詳細な説明】
【０００１】
【発明の属する技術分野】
本発明は、写真フイルムが組み込まれたユニット本体の外周面に帯状の外装体を巻き付けたレンズ付きフイルムユニットに関するものである。
【０００２】
【従来の技術】
いつでも手軽に写真撮影を楽しむことができるように、本出願人よりレンズ付きフイルムユニットが市販されている。レンズ付きフイルムユニットは、簡単な撮影機構を組み込んだユニット本体に予め未露光の写真フイルムを内蔵させ、その表面を外装体で覆ったもので、購入したその場ですぐに写真撮影ができ、また撮影後にもそのまま現像取扱い店に出せばよいという簡便性から一般に広く利用されている。
【０００３】
このようなレンズ付きフイルムユニットでは、低価格化を実現するために構造が非常に簡略化されている。ユニット本体は、基本的に、撮影機構を取り付けるとともにパトローネ付きの写真フイルムを収納する本体基部と、この前後を覆うように被せられる前カバー及び後カバーとから構成されている。本体基部には、両側部にパトローネ室とフイルムロール室とが一体に設けられており、パトローネ室にはパトローネ本体が、またフイルムロール室にはロール状にした写真フイルムがそれぞれ収納される。
【０００４】
パトローネ室及びフイルムロール室の底部は、パトローネ本体及び写真フイルムの組み込み作業を容易にするために開口となっており、一般に後カバーの底面側に設けたプルトップ式の底蓋によってそれぞれ塞がれる。パトローネ室側の底蓋は、現像所において、露光済みの写真フイルムが巻き込まれているパトローネ本体をパトローネ室から取り出すときの取出し蓋として用いられる。このため、パトローネ室と底蓋とは部分的な爪係合によって連結され、比較的容易に開放できるようになっている。また、フイルムロール室側の底蓋は、これを開放する必要がないことから、フイルムロール室の開口の周縁に沿って形成されたリブと、底蓋側に設けられた凹み部とを嵌合させ、開口の全周で連結される。
【０００５】
一方、ユニット本体を覆う外装体としては、表面に化粧用の印刷を施した紙箱を用いるのが一般的であるが、最近では、紙箱に代えて帯状のラベルを用いるレンズ付きフイルムユニットが知られている。このレンズ付きフイルムユニットは、ユニット本体の外周面に帯状のラベルを巻き付けて糊付けし、ユニット本体の両側部は露呈したままにするもので、ユニット本体の全面を紙箱で覆うものに比較して外形の小型イメージを高めることができるとともに、組み立てが簡便化されるという利点がある。
【０００６】
【発明が解決しようとする課題】
前述したように、パトローネ室及びフイルムロール室はユニット本体の両側部に設けられているので、外装体としてラベルを用いるレンズ付きフイルムユニットにおいては、その底面にパトローネ室及びフイルムロール室の各々を塞ぐ底蓋の輪郭が完全に露呈されることになる。これらの底蓋は、パトローネ室及びフイルムロール室内の遮光性を保持する必要性から、開放されることは絶対に避けなくてはならない。しかしながら、実際には、ユーザーの不用意な取り扱いによってレンズ付きフイルムユニットに衝撃が加わったときに、底蓋が開放してしまうという問題がある。しかも、レンズ付きフイルムユニットの小型化に伴ってユニット本体を構成する各部材が薄厚化されていることに起因し、ユニット本体が衝撃によって歪みやすくなっているので、フイルムロール室と凹凸の嵌合によってのみ係合され、開放方向への移動が全く規制されていないフイルムロール室側の底蓋は、パトローネ室の底蓋に比して開放されやすい。
【０００７】
本発明は、このような問題点を解決するためになされたものであり、フイルムロール室を塞ぐ底蓋が開放することを防止し、フイルムロール室内を確実に遮光できるレンズ付きフイルムユニットを提供することを目的とする。
【０００８】
【課題を解決するための手段】
上記目的を達成するために、本発明のレンズ付きフイルムユニットは、フイルムロール室の開口を塞ぐための底蓋を、開口部よりもさらに本体基部の底面中央側まで一体に覆うように長く形成し、底蓋の一部が外装体によって覆われるようにしており、底蓋と、この底蓋が一体に連結されているカバー部材とに、底蓋がフイルムロール室の開口を塞ぐ閉じ位置に移動したときに結合される一対の爪係合部を設けている。
【０００９】
【発明の実施の形態】
図１及び図２は、レンズ付きフイルムユニットの外観を示すものである。ユニット本体１１は主にプラスチック成形され、中央部に外装用のラベル２０が巻き付けられている。ユニット本体１１には、前面に撮影レンズ１２，ファインダ対物窓１３，ストロボ発光窓１４，及びストロボ充電スイッチ１５が、また上面にはシャッターボタン１６，巻上げノブ１７，及びカウンタ窓１８が、さらに背面にはファインダ接眼窓１９がそれぞれ設けられている。ラベル２０はレンズ付きフイルムユニット１０の外観を綺麗にするためのもので、表面に化粧用の印刷が施されている。ラベル２０の所要部には、ユニット本体１１に設けられた撮影レンズ１２，ファインダ対物窓１３，カウンタ窓１８，及びファインダ接眼窓１９を外部に露呈させるための開口が設けられており、このラベル２０をユニット本体１１に巻き付けたままの状態で撮影操作ができるようになっている。
【００１０】
ユニット本体１１は、図３に分解して示したように、本体基部２１と、その上面，前面，及び左右側面を覆うように被せられる前カバー２２と、本体基部２１の背面に被せられる後カバー２３とから構成されている。前カバー２２にはファインダ対物窓１３，ストロボ発光窓１４，ストロボ充電スイッチ１５，及びシャッターボタン１６が、また後カバー２３にはファインダ接眼窓１９がそれぞれ形成されている。本体基部２１の前面には、シャッターベース２５ａ上に撮影レンズ１２，ファインダ光学系，フイルムコマ止め機構，及びシャッター機構等を組み付けてユニット化した露光ユニット２５が中央部に、またストロボユニット２６が上方部に取り付けられ、前カバー２２と後カバー２３とで挟持される。そして、露光ユニット２５に組み付けられた撮影レンズ１２，ファインダ対物レンズ２７ａ，及びファインダ接眼レンズ２７ｂの各々が、前カバー２２及び後カバー２３に形成された開口２８，ファインダ対物窓１３，及びファインダ接眼窓１９から露呈される。また、ストロボユニット２６に組み付けられたストロボ発光部２９は、前カバー２２に形成されたストロボ発光窓１４から露呈される。
【００１１】
本体基部２１には、その両側部にパトローネ室３１とフイルムロール室３２とが一体に形成されている。パトローネ室３１にはパトローネ本体３３を、またフイルムロール室３２には未露光の写真フイルム３４をパトローネ本体３３から全て引き出した状態でロール状に巻いて収納する。パトローネ室３１とフイルムロール室３２との間には、写真フイルム３４の露光範囲を規定するためのアパーチャー３５が形成され、この前面に露光ユニット２５が組み付けられる。そして、写真フイルム３４を１コマ分ずつパトローネ本体３３内に巻き込みながら撮影が行われる。
【００１２】
パトローネ室３１及びフイルムロール室３２の底部は、いずれも開口となっており、後カバー２３の底面側に一体に設けられたプルトップ式の底蓋４１，４２によってそれぞれ塞がれる。なお、底蓋４１は、露光済みの写真フイルム３４が巻き込まれたパトローネ本体３３をパトローネ室３１から取り出すときの取出し蓋となる。
【００１３】
底蓋４１及び４２は、いずれも本体基部２１の底面を、パトローネ室３１及びフイルムロール室３２の底部よりもさらに中央側まで一体に覆うように横方向に長く形成されている。図４に拡大して示すように、底蓋４２には、係合溝４３と係止爪４４とが設けれている。係合溝４３は、フイルムロール室３２の開口縁に嵌着し、フイルムロール室３２の底部を底蓋４２で密閉する。また係止爪４４は、底蓋４２を閉じたときに、後カバー２３の底面側に設けられた係合突起４５と係合し、底蓋４２を閉じ位置に係止する。そして図１に示すように、ユニット本体１１にラベル２０を巻きつけると、底蓋４１，４２のそれぞれの端部がラベル２０によって覆われる。
【００１４】
上記のように構成されたレンズ付きフイルムユニット１０を用いて撮影を行うときには、撮影者はまず巻上げノブ１７をフイルム巻上げ方向（図２に示した矢印方向）に回転操作してシャッターチャージを行い、撮影準備をする。この巻上げノブ１７の回転操作は回転が禁止されるまで行う。次に、ファインダ接眼窓１９から覗いて被写体を適当な位置にフレーミングし、シャッターボタン１６を押下すると、シャッター機構が作動して撮影レンズ１２を透過した被写体光が写真フイルム３４上に露光される。そして、巻上げノブ１７を回転操作すると、写真フイルム３４がフイルムロール室３２側からパトローネ室３１側に１コマ分だけ送行される。これにより、写真フイルム３４の露光済み部分がパトローネ本体３３内に巻き込まれ、未露光部分がアパーチャー３５の背面側にセットされる。
【００１５】
ここで例えば、撮影者がレンズ付きフイルムユニット１０を誤って落としてしまい、レンズ付きフイルムユニット１０に衝撃が加わることがある。しかし、底蓋４１，４２のそれぞれの端部がラベル２０によって覆われ、底蓋４１及び４２の開放方向への移動が抑えられているので、この落下による衝撃で底蓋４１，４２が開放することはない。特に、底蓋４２と、この底蓋４２を一体に設けた後カバー２３との間が、係止爪４４と係合突起４５とにより爪係合されているので、落下時の衝撃によってユニット本体１１が歪んだとしても、底蓋４２は閉じ位置に固定される。したがって、フイルムロール室３２内の遮光性が保持され、この内部に収納された未露光の写真フイルム３４は、その写真性が良好な状態に維持される。
【００１６】
写真フイルム３４の全コマに撮影を行い、巻き上げノブ１７を回転操作すると、写真フイルム３４の全てがパトローネ本体３３内に巻き込まれる。そして、ユーザーが使用済みレンズ付きフイルムユニット１０を現像取扱店に持っていき、ＤＰＥを依頼すると、このレンズ付きフイルムユニット１０は、更に現像所に集められる。現像所では、レンズ付きフイルムユニット１０の底部に露呈しているフイルム取り出し用の底蓋４１を開き、撮影済みの写真フイルム３４が巻き込まれたパトローネ本体３３を取り出してフイルム現像及びプリント処理を行う。そして現像取扱店を介して、プリント写真と現像済みのフイルムとがユーザーに返却される。
【００１７】
なお、上記実施形態においては、パトローネ室用の底蓋はラベルによって端部が覆われるようにのみ構成してあるが、このパトローネ室用の底蓋についてもフイルムロール室用の底蓋と同様に、後カバーとの間で爪係合しておけば耐衝撃性をさらに向上させることができる。
【００１８】
【発明の効果】
以上のように、本発明のレンズ付きフイルムユニットによれば、フイルムロール室の開口を塞ぐ底蓋が、本体基部の底面を、開口部よりもさらに中央側まで一体に覆うように長く形成され、この底蓋の一部が外装体によって覆われているので、底蓋は開放方向への移動が規制されている。しかも、底蓋を閉じたときに、底蓋と、この底蓋が一体に設けられているカバー部材との間が爪係合されるので、衝撃によってユニット本体が歪んだとしても、底蓋は閉じ位置に固定される。したがって、落下等の衝撃で底蓋が開放することが防止され、フイルムロール室内の遮光性を保持することができる。
【００１９】
また、フイルムロール室を塞ぐための底蓋と、この底蓋が一体に設けられているカバー部材との形状を変更するだけなので、ユニット本体を構成する他の部材は従来のものをそのまま流用することができ、経済的にレンズ付きフイルムユニットを製造できるという利点がある。
【図面の簡単な説明】
【図１】本発明を実施したレンズ付きフイルムユニットの底面部を示す概略図である。
【図２】レンズ付きフイルムユニットの外観斜視図である。
【図３】図１に示したユニット本体の分解斜視図である。
【図４】フイルムロール室を塞ぐ底蓋の構成を示す要部説明図である。
【符号の説明】
１０  レンズ付きフイルムユニット
１１  ユニット本体
２０  ラベル
２３  後カバー
３２  フイルムロール室
３４  写真フイルム
４１，４２  底蓋
４４  係止爪
４５  係合突起
【図１】
0003745812.tif 000002
【図２】
0003745812.tif 000003
【図３】
0003745812.tif 000004
【図４】
0003745812.tif 000005